(57)【特許請求の範囲】
【請求項１】
複数個のアンテナ素子を有するアンテナ基板と、該アンテナ基板を取り付けた回転部材とからなる回転可能なアンテナ基板部材と、該アンテナ基板部材を回転可能に保持する平板状のプレートと、前記アンテナ基板部材を回転させるためのベルトとを備え、前記回転部材に設けた溝部には前記ベルトを張架すると共に、前記回転部材の上面には、前記アンテナ基板の一部が前記回転部材の外周より径方向外方に突出した状態で、前記アンテナ基板を取り付けたことを特徴とする移動体用衛星通信アンテナ装置。
【請求項２】
前記回転部材をアルミダイキャストにて形成したことを特徴とする請求項１記載の移動体用衛星通信アンテナ装置。
【発明の詳細な説明】
【０００１】
【発明の属する技術分野】
本発明は、自動車等の移動体における衛星通信、衛星放送受信等に用いて好適な移動体用衛星通信アンテナ装置に関する。
【０００２】
【従来の技術】
従来の移動体用衛星通信アンテナ装置は、図４〜図６に示すように、平板状の主プレート５１と補助プレート５２が互いに重ね合わされて、ネジ５３によって組み合わされている。
そして、プレート５１には、歯車５４を取り付けたモータ５５と、プローブ５６を有するコンバーター５７が取り付けられている。
また、図６に示すように、プレート５２に固定された軸５８に、溝５９ａを有するプーリ５９が回転可能に取り付けられており、このような構成を備えた複数個のプーリ５９は、主プレート５１の中心部に対して同心円状に配設されている。
【０００３】
また、合成樹脂の成型品からなるリング状の回転部材６０は、外周の全周にわたって歯車部（図示せず）を設けた台形状の溝部６０ａと、溝部６０ａの下部に設けられたリング状の突部６０ｂと、中心部に設けられた孔６０ｃとを有している。
また、円板状のアンテナ基板６１には、ここでは図示しないが、複数個のアンテナ素子が同心円状に形成されており、このアンテナ基板６１は、回転部材６０の上面に孔６０ｃを塞ぐように配置され、ネジ６２により回転部材６０に固定されている。
また、金属板からなるリング状の阻止部材６３は、アンテナ基板６１の外側に位置するように回転部材６０の上面に配置され、ネジ６４により回転部材６０に固定されている。
そして、阻止部材６３が固定された際は、阻止部材６３の一部が回転部材６０の外周より径方向外方に突出した状態となっている。
【０００４】
そして、回転部材６０とアンテナ基板６１と阻止部材６３とでアンテナ基板部材６５が構成され、このような構成を有するアンテナ基板部材６５は、回転部材６０のリング状の突部６０ｂを複数個のプーリ５９の溝５９ａに係合して、アンテナ基板部材６５がプーリ５９によって回転可能に支持されている。
この時、アンテナ基板６１の中心部は、プローブ５６に対向した状態となり、アンテナ素子からの電波をプローブ５６に給電するようになっている。
【０００５】
また、回転部材６０の歯車部を有する溝部６０ａとモータ５５に取り付けられた歯車５４との間に、歯付の無端のベルト６６が張架され、モーター５５の駆動によって、ベルト６６を介してアンテナ基板部材６５を回転するようになっている。
この時、回転部材６０の溝部６０ａに張架されたベルト６６の上端は、回転部材６０から外方に突出した阻止部材６３により脱抜が防止されている。
また、プレート５２には、軸６７によってレバー６８が回転可能に取り付けられ、このレバー６８にはプーリ６９が回転可能に取り付けられると共に、レバー６８とプレート５２との間には、バネ７０が掛け止めされた構成となっている。そして、プーリ６９がベルト６６の外側面に当接し、バネ７０によってレバー６８を介してプーリ６９を牽引して、ベルト６６の弛みをなくするようになっている。
【０００６】
そして、このような構成を有する移動体用衛星通信アンテナ装置は、自動車等の移動体の屋根に設置され、移動体の移動に伴って、漸次モータ５５が駆動してアンテナ基板部材６５を回転し、静止衛星への指向を調整するようになっている。
【０００７】
【発明が解決しようとする課題】
従来の移動体用衛星通信アンテナ装置において、回転部材６０には、アンテナ基板６１と、ベルト６６の抜け防止を行う阻止部材６３を取り付けるものであるため、部品点数が多くなってコスト高になるばかりか、阻止部材６３を取り付けるスペースを必要とし、大型になるという問題がある。
また、回転部材６０は合成樹脂で形成されているため、屋外での環境温度の変動による回転部材６０の膨張、収縮が著しく、このため、アンテナ基板部材６５の回転が円滑にできず、引いては回転不能を生じるという問題がある。
【０００８】
【課題を解決するための手段】
上記課題を解決するための第１の解決手段として、複数個のアンテナ素子を有するアンテナ基板と、該アンテナ基板を取り付けた回転部材とからなる回転可能なアンテナ基板部材と、該アンテナ基板部材を回転可能に保持する平板状のプレートと、前記アンテナ基板部材を回転させるためのベルトとを備え、前記回転部材に設けた溝部には前記ベルトを張架すると共に、前記回転部材の上面には、前記アンテナ基板の一部が前記回転部材の外周より径方向外方に突出した状態で、前記アンテナ基板を取り付けた構成とした。
また、第２の解決手段として、前記回転部材をアルミダイキャストにて形成した構成とした。
【０００９】
【発明の実施の形態】
本発明の移動体用衛星通信アンテナ装置を図１〜図３に基づいて説明すると、図１は本発明の移動体用衛星通信アンテナ装置の平面図、図２は図１の２ー２線における断面図、図３は図１のＡ部分における要部断面図である。
【００１０】
そして、本発明の移動体用衛星通信アンテナ装置は、図１〜図３に示すように、比較的板厚の厚い平板状の主プレート１と比較的板厚の薄い補助プレート２が互いに重ね合わされて、ネジ３によって組み合わされている。
そして、プレート１の下面には、歯車４を取り付けたモータ５と、プローブ６を有するコンバーター７が取り付けられている。
また、図３に示すように、補助プレート２に固定された軸８に、溝９ａを有するプーリ９が回転可能に取り付けられており、このような構成を備えた複数個のプーリ９は、主プレート１の中心部に対して同心円状に配設されている。
また、軸８にはコイル状のバネ１９が取り付けられ、このバネ１９によって、プーリ９を上下動可能にしている。
【００１１】
また、アルミダイキャストからなるリング状の回転部材１０は、外周の全周にわたって歯車部（図示せず）を設けた台形状の溝部１０ａと、溝部１０ａの下部に設けられたリング状の突部１０ｂと、中心部に設けられた孔１０ｃとを有している。
また、円板状のアンテナ基板１１には、ここでは図示しないが、複数個のアンテナ素子が同心円状に形成されており、このアンテナ基板１１は、回転部材１０の孔１０ｃを塞ぐように配置されると共に、アンテナ基板１１の一部が回転部材１０の外周より径方向外方に突出した状態で、回転部材１０の上面に配置され、アンテナ基板１１は、ネジ１２により回転部材１０に固定されている。
【００１２】
そして、回転部材１０とアンテナ基板１１とでアンテナ基板部材１３が構成され、このような構成を有するアンテナ基板部材１３は、回転部材１０のリング状の突部１０ｂを複数個のプーリ９の溝９ａに係合して、アンテナ基板部材１３がプーリ９によって回転可能に支持されている。
この時、アンテナ基板１１の中心部は、プローブ６に対向した状態となり、アンテナ素子からの電波をプローブ６に給電するようになっている。
【００１３】
また、回転部材１０の歯車部を有する溝部１０ａとモータ５に取り付けられた歯車４との間に、歯付の無端のベルト１４が張架され、モーター５の駆動によって、ベルト１４を介してアンテナ基板部材１３を回転するようになっている。
この時、回転部材１０の溝部１０ａに張架されたベルト１４の上端は、回転部材１０から径方向外方に突出したアンテナ基板１１の一部により脱抜が防止されている。
また、プレート２には、軸１５によってレバー１６が回動可能に取り付けられ、このレバー１６にはプーリ１７が回転可能に取り付けられると共に、レバー１６とプレート２との間には、バネ１８が掛け止めされた構成となっている。
そして、プーリ１６がベルト１４の外側面に当接し、バネ１８によってレバー１６を介してプーリ１７を牽引して、ベルト１４の弛みをなくするようになっている。
【００１４】
そして、このような構成を有する移動体用衛星通信アンテナ装置は、自動車等の移動体の屋根に設置され、移動体の移動に伴って、漸次モータ５が駆動してアンテナ基板部材１３を回転し、静止衛星への指向を調整するようになっている。
【００１５】
【発明の効果】
本発明の移動体用衛星通信アンテナ装置は、回転部材１０の上面において、アンテナ基板１１の一部が回転部材１０の外周より径方向外方に突出した状態で、アンテナ基板１１を取り付けたものであるため、アンテナ基板１１がベルト１４の抜け止めを兼ね、部品点数が少なくなって、安価で組立性も良く、また、小型のアンテナ装置を提供できる。
また、回転部材１０は、アルミダイキャストで形成されているため、従来の合成樹脂に比して、環境温度の変動による膨張、収縮が極めて少なく、アンテナ基板部材１３が長期にわたって正常な回転を維持でき、故障の少ない長寿命のアンテナ装置を提供できる。
【図面の簡単な説明】
【図１】本発明の移動体用衛星通信アンテナ装置の平面図。
【図２】図１の２ー２線における断面図。
【図３】図１のＡ部分における要部断面図。
【図４】従来の移動体用衛星通信アンテナ装置の平面図。
【図５】図４の５ー５線における断面図。
【図６】図４のＢ部分における要部断面図。
【符号の説明】
１  主プレート
２  補助プレート
３  ネジ
４  歯車
５  モータ
６  プローブ
７  コンバータ
８  軸
９  プーリ
９ａ  溝
１０  回転部材
１０ａ  溝部
１０ｂ  突部
１０ｃ  孔
１１  アンテナ基板
１２  ネジ
１３  アンテナ基板部材
１４  ベルト
１５  軸
１６  レバー
１７  プーリ
１８  バネ
１９  バネ
【図１】
0003647257.tif 000002
【図２】
0003647257.tif 000003
【図３】
0003647257.tif 000004
【図４】
0003647257.tif 000005
【図５】
0003647257.tif 000006
【図６】
0003647257.tif 000007